(57)【要約】      （修正有）【課題】ボトムスを着用したときのヒップアップ補整をより簡単な構造の体形補整具で行うことができ、従って、窮屈感がなく全体コストを低コスト化できる体形補整機能を備えたボトムスを提供する。【解決手段】パンツ構造のボトムス本体１の内部に、ヒップアップ用の体形補整具１１が設けてある。体形補整具１１は伸縮性を備えた帯状体で形成されて、その一端がボトムス本体１の股上３に装着され、他端側がボトムス本体１のウエスト部５の周りに装着してある。体形補整具１１は伸縮性を備えたゴムベルトで構成する。ボトムス本体１のウエスト部５の周りと体形補整具１１との間に、体形補整具１１の有効長さを調整するサイズ調整構造を設ける。【選択図】図２
0003172676.tif 000002
【実用新案登録請求の範囲】
【請求項１】
パンツ構造のボトムス本体（１）の内部に、ヒップアップ用の左右一対の体形補整具（１１）が設けてあるボトムスであって、
体形補整具（１１）は伸縮性を備えた帯状体で形成されて、その一端がボトムス本体（１）の股上（３）に固定され、他端側がボトムス本体（１）のウエスト部（５）の周りに装着してあることを特徴とする体形補整機能を備えたボトムス。
【請求項２】
体形補整具（１１）が、伸縮性を備えたゴムベルトと、伸縮生地で形成した帯状体と、伸縮性を備えたネットで形成した帯状体の、ひとつ以上で形成してある請求項１に記載の体形補整機能を備えたボトムス。
【請求項３】
ボトムス本体（１）のウエスト部（５）の周りと体形補整具（１１）との間に、体形補整具（１１）の有効長さを調整するサイズ調整構造（１２）が設けてある請求項１または２に記載の体形補整機能を備えたボトムス。
【請求項４】
サイズ調整構造（１２）が、体形補整具（１１）に形成した複数の係止穴（１３）と、ボトムス本体（１）に留め付けられて前記係止穴（１３）に着脱される係止具（１４）とで構成してある請求項３に記載の体形補整機能を備えたボトムス。
【請求項５】
ボトムス本体（１）のウエスト部（５）を編みゴムベルトで形成し、体形補整具（１１）を編みゴムベルトで形成してある請求項１から４のいずれかに記載の体形補整機能を備えたボトムス。
【考案の詳細な説明】
【技術分野】
【０００１】
本考案は、体形補整機能を備えたボトムスに関する。ボトムスとしては、パンツ、スラックス、カルソンパンツ、レギンス、スパッツ、キュロットスカートのインナーパンツなどがある。
【背景技術】
【０００２】
体形補整機能を備えたボトムスとして、例えば特許文献１のパンツが公知である。そこではパンツのウエスト部にガードルのウエストを周回状に縫着して、パンツの内部にガードルを吊下げている。ガードルは体形補整機能に優れているものの、下腹およびヒップが強く締付けられるため、使用者に窮屈感を与えてしまう。また、立姿勢のときは問題なく体形を補整できているが、椅子あるいはシート等に座り、あるいは脚を大きく動かすような場合に、ガードルの後身頃の裾部分が胴回りに引きずられてずり上がる。その結果、ヒップの一部がガードルの後身頃の裾部分の外へはみ出てパンツのヒップラインが乱れることがある。このように、ヒップと体形補整具の位置関係にずれが生じた場合には、ガードルの裾部分の位置を矯正してはみ出した肌をガードル内へ戻さねばならず、余分な手間が掛かるのはもちろんのこと、人目を気にしながら矯正することもあって煩わしい。
【０００３】
上記のような窮屈感を与えることなく体形補整を行うようにしたパンツが、特許文献２に公知である。そこでは、表地の内側に、後身頃のヒップ部から脇線を通り前身頃の一部を覆う裏地を配置し、この裏地をウエストラインと内股において表地に縫着し、さらに裏地を脇縫代の一部に伸縮可能なひも（係止具）を介して縫着している。伸縮生地で形成した裏地には、パワーネットで形成したヒップアップ別布が縫着してあって、ヒップアップ効果を向上できるようにしてある。
【０００４】
本考案では、ボタンホール付きの伸縮ベルトと、ボタンホールに掛止されるボタンとを調整要素にして体形補整具のサイズ調整を行なうが、この種のサイズ調整構造は特許文献３に公知である。そこでは、ガードルの前後および左右に合計４個の伸縮テープが固定してあり、伸縮テープに設けたボタンホールに、ショーツの前後に設けたボタンを取付けて、ガードルに対するショーツの装着位置を調整できるようにしている。
【先行技術文献】
【特許文献】
【０００５】
【特許文献１】特許第２６７０５６７号公報（段落番号０００９、図１）
【特許文献２】特許第４２４１７４４号公報（段落番号００４２〜００４４、図２、図３）
【特許文献３】実開平０６−７６３０３号公報（段落番号０００７、図１）
【考案の概要】
【考案が解決しようとする課題】
【０００６】
表地の内側に伸縮性の裏地を配置し、この裏地をウエストラインと内股において表地に縫着する特許文献２のパンツによれば、パンツを着用した状態において、裏地によって下腹が締付けられるのを解消して窮屈感をある程度は解消できる。しかし、裏地を表地に対してウエストラインと内股の２個所のみで縫着するので、身体を大きく動かすような場合に、ウエストラインと内股との間の裏地の未縫着部分が捲れるうえ、体形線が乱れてしまう。また、特許文献１のパンツと同様に、椅子あるいはシートなどに座った状態において、ヒップの一部が裏地の外へはみ出て体形線が乱れることがあり、ヒップと体形補整具の位置関係を矯正するために余分な手間が掛かる。
【０００７】
さらに、特許文献１および特許文献２のパンツの場合には、体形補整機能を備えていない通常のパンツに比べて、ガードルあるいは裏地の分だけ余分な生地パーツを用意し、表地に縫着する必要がある。しかも、パンツサイズが異なるごとに適合するサイズのガードルあるいは裏地を用意する必要があるため、全体としてパンツの製造に要するコストが嵩むのを避けられない。
【０００８】
本考案の目的は、ボトムスを着用したときのヒップアップ補整をより簡単な構造の体形補整具で行うことができ、窮屈感がなく全体コストを低コスト化できる体形補整機能を備えたボトムスを提供することにある。
本考案の目的は、姿勢の変化や身体の大きな動きで、ヒップと体形補整具の位置関係がずれた場合でも、ヒップと体形補整具の位置関係を適正な状態へ迅速に戻すことができるボトムスを提供することにある。
本考案の目的は、体形補整具のボトムス本体に対する装着位置を調整でき、従って、体形補整具を使用者の体形の違いに応じて微調整して体形補整を的確に行えるボトムスを提供することにある。
【課題を解決するための手段】
【０００９】
本考案に係るボトムスは、パンツ構造のボトムス本体１の内部に、ヒップアップ用の左右一対の体形補整具１１が設けてある。体形補整具１１は伸縮性を備えた帯状体で形成されて、その一端がボトムス本体１の股上３に固定され、他端側がボトムス本体１のウエスト部５の周りに装着してあることを特徴とする（図２参照）。
【００１０】
体形補整具１１は、伸縮性を備えたゴムベルトと、伸縮生地で形成した帯状体と、伸縮性を備えたネットで形成した帯状体との、ひとつ以上で形成する。
【００１１】
ボトムス本体１のウエスト部５の周りと体形補整具１１との間に、体形補整具１１の有効長さを調整するサイズ調整構造１２を設ける。体形補整具１１の有効長さとは、ヒップアップ作用に寄与できる、体形補整具１１の長手方向の寸法を言う。
【００１２】
サイズ調整構造１２は、図３に示すように、体形補整具１１に形成した複数の係止穴１３と、ボトムス本体１に留め付けられて前記係止穴１３に着脱される係止具１４とで構成する。
【００１３】
ボトムス本体１のウエスト部５を編みゴムベルトで形成し、体形補整具１１を編みゴムベルトで形成する。
【考案の効果】
【００１４】
本考案においては、体形補整具１１を伸縮性を備えた帯状体で形成し、左右一対の帯状の体形補整具１１でヒップの後側の下部を押上げてヒップ外形を補整できるようにした。従って、本考案のボトムスによれば、従来のボトムスとは異なり、使用時に下腹やヒップ周りが体形補整具１１で締付けられるのを解消して、使用者の窮屈感を一掃できる。さらに、左右一対の帯状の体形補整具１１でヒップ外形を補整するので、ガードルや裏地を付加した従来のボトムスに比べて、体形補整具１１を付加するのに必要なコストを削減して、体形補整機能を備えたボトムスを低コストで提供できる。
【００１５】
本考案の体形補整具１１は、その一端を股上３に固定し、他端側をウエスト部５の周りに装着して、これら装着部以外の部分を遊動可能としている。そのため、ヒップと体形補整具１１の位置関係がずれた場合でも、両者の位置関係を適正な状態へ迅速に戻すことができる。これは、使用者の姿勢の変化等によってヒップが大きく変形したとしても、遊動可能な体形補整具１１はヒップの変形に追随して引っ張られるだけで、このときヒップと体形補整具１１との位置関係がずれたとしても、その状態を保持する構造がないからである。つまり、従来のガードル等においては、その一部が胴回りに引きずられてずり上がると、ずり上がった部分がずり上がった状態のまま位置保持されるが、本考案の体形補整具１１には、先のように位置ずれした状態を保持する構造がないからである。
【００１６】
また、使用状態における体形補整具１１は、股上３からヒップの太腿側の膨らみの下部を経由して、ウエスト部５の周りにわたって斜交い状にヒップを保持している。そのため、着座状態やしゃがんだ状態においてヒップと体形補整具１１の位置関係がずれたとしても、体形補整具１１がヒップの頂部を乗越えてヒップ上部へずれることはなく、体形補整具１１は依然としてヒップの太腿側の膨らみの下部に引っ掛かっているからである。従って、着座姿勢から立姿勢へ戻ると、体形補整具１１はヒップから受ける緊張力が開放されるのと同時に、張力が小さくなる側へ移動しながら収縮して、ヒップの太腿側の膨らみ基端に沿う状態、即ち適正な状態へ迅速に自己復帰できることになる。
【００１７】
ゴムベルトと、伸縮生地で形成した帯状体と、伸縮性を備えたネットで形成した帯状体のひとつ以上で体形補整具１１を形成すると、従来のガードル構造の体形補整具に比べて、体形補整具１１の構造を著しく簡素化して、その製造に要するコストを削減できる。また、特性が異なる複数の素材を組み合わせて体形補整具１１を形成することにより、単一素材で体形補整具１１を構成する場合に比べて、部分的に弾性特性を異ならせ、あるいはヒップ保持面積を異ならせるなど、ヒップアップ機能の向上と多様化を実現できる。
【００１８】
ボトムス本体１のウエスト部５の周りと体形補整具１１との間にサイズ調整構造１２を設けると、使用者自身で体形補整具１１の有効長さを調整して、張力を調整することができる。例えば、体形補整具１１の張力を強くすることにより、使用者の好みの状態にヒップを押上げてヒップ外形を補整できる。また、使用者の好みの押上げ力でヒップを押上げてヒップ外形を補整できるので、体形補整具１１を使用者の体形の違いに応じて微調整して体形補整を的確に行うことができる。
【００１９】
体形補整具１１に形成した複数の係止穴１３と、ボトムス本体１に留め付けられる係止具１４とでサイズ調整構造１２を構成すると、体形補整具１１を調整要素の一部として利用することができるので、その分だけサイズ調整構造１２の構造を簡素化し、コストを削減できる。
【００２０】
ボトムス本体１のウエスト部５を編みゴムベルトで形成し、体形補整具１１を編みゴムベルトで形成したボトムスによれば、その腰周りサイズと、体形補整具１１の長さとをフリーサイズ化できる。従って、腰周りサイズ、および体形補整具１１の長さが多様に異なるボトムスを用意する必要がなく、ボトムスの製造に要するコストをさらに削減できる。
【図面の簡単な説明】
【００２１】
【図１】本考案に係るパンツの側面図である。
【図２】本考案に係るパンツの正面図である。
【図３】本考案に係るパンツを裏返した状態の側面図である。
【図４】本考案に係るパンツの平面図である。
【図５】使用状態における体形補正具の湾曲形状を示す背面図である。
【図６】別の実施例に係る体形補正具の平面図である。
【図７】別の実施例に係る体形補正具を備えたパンツの正面図である。
【考案を実施するための形態】
【００２２】
（実施例）  図１ないし図５は本考案に係るボトムスを婦人用のパンツに適用した実施例を示す。図２においてパンツ本体（ボトムス本体）１は、筒状の右脚部２Ｒと筒状の左脚部２Ｌとを、ウエスト後部から股上３を経て前立４まで縫着し、その上縁にウエスト部５を周回状に縫着して構成してある。右脚部２Ｒは、右前身頃６Ａと右後身頃６Ｂとを内外の脇線Ｓに沿って縫着して形成してあり、同様に左脚部２Ｌは、左前身頃７Ａと左後身頃７Ｂとを脇線に沿って縫着して形成してある。図示していないが、前立４にはスライドファスナーが設けてあり、左右の脚部２Ｒ・２Ｌの前身頃５Ａ・６Ａには、それぞれポケット８が設けてある。ウエスト部５は編みゴムベルトで形成してあって、腰周りサイズがフリーサイズ化してある。
【００２３】
上記のパンツ本体１に体形補整機能を付加するために、パンツ本体１の内部に左右一対の体形補整具１１を設けている。体形補整具１１は伸縮性を備えた帯状体で形成されて、その下端（一端）がパンツ本体１の股上３に縫着され、その上端（他端側）がパンツ本体１のウエスト部５の周りにサイズ調整構造１２を介して装着してある（図４参照）。帯状体は、ゴムベルト、伸縮生地、伸縮性を備えたネット等を素材にして形成することができ、この実施例では、ボタンホール（係止穴）１３が一定間隔おきに形成してある市販の編みゴムベルトで体形補整具１１を形成した。この編みゴムベルトは、幅寸法が２ｃｍ前後、全長寸法を約３５ｃｍとして、体形補整具１１の長さに関してフリーサイズ化できるようにした。
【００２４】
サイズ調整構造は、体形補整具１１に形成した複数のボタンホール１３と、ボトムス本体１に留め付けられてボタンホール１３に着脱されるボタン（係止具）１４とで構成する。ボタン１４は一対の体形補整具１１に対応して２個設ける。詳しくは、図３および図４に示すように、右側のボタン１４は、右前身頃６Ａの脇線Ｓと前立４との間の腰周り方向中途部で、ウエスト部５の下部に留め付けてある。同様に左側のボタン１４は、左前身頃７Ａの脇線と前立４との間の腰周り方向中途部で、ウエスト部５の下部に留め付けてある。なお、図３のパンツ本体１は裏返した状態を示しているので、表面を示す図１のパンツ側面とは左右の関係が逆になる。
【００２５】
以上のように構成したパンツは、図１および図５に示すように、体形補整具１１がヒップの太腿側の膨らみ基端に接する状態で着用する。パンツを着用した状態、またはパンツを着用する前に、ボタン１４に係止されるボタンホール１３の位置を調整することにより体形補整具１１の有効長さを変更して張力を調整することができる。例えば、体形補整具１１の張力を強めに調整して、使用者の好みの状態にヒップを押上げてヒップ外形を補整できる。また、使用者の好みの押上げ力でヒップを押上げてヒップ外形を補整できる。ヒップ外形を補整した状態の体形補整具１１は伸長して張力を発揮した状態で、ヒップ肌面にショーツを介して接している。そのため、下腹およびヒップが体形補整具１１で締め付けられることはなく、従って体形補整具１１を付加することで窮屈感を生じることは一切ない。
【００２６】
体形補整具１１でヒップ外形を補整した状態の使用者が立姿勢にあるときは、図１および図５に示すように、体形補整具１１は、股上３からヒップの太腿側の膨らみの下部を経由して、ウエスト部５の周りにわたって斜交い状に湾曲する状態でヒップの重みを支えている。また、体形補整具１１の上部は、へその近傍へ向かってパンツの前身頃に沿って斜めに引っ張られている。そのため、パンツのヒップラインは、図１に示すように体形補整具１１を跨ぐ状態で自然に湾曲し、体形補整具１１によってパンツのヒップラインが乱されることはない。当然、体形補整具１１の湾曲するラインがパンツのシルエットを乱すこともない。また、歩行時には、ヒップ外面の伸び縮みに追随して体形補整具１１が伸縮するので、体形補整具１１とヒップの位置関係がずれることはない。なお、体形補整具１１の張力を調整した後は、余分なベルト部分を切断することにより、パンツ着用時に余分なベルト部分が邪魔になり、あるいはパンツの前身頃のシルエットが余分なベルト部分で乱されるのを防止できる。
【００２７】
立姿勢になっていた使用者が、椅子あるいはシート等に座り、あるいは脚または身体を大きく動かし、あるいはしゃがみ込むような場合には、大きく変形するヒップで体形補整具１１が強く引っ張られる。しかし、遊動可能な体形補整具１１は、その伸長限界を越えない限り、ヒップの変形に追随して引っ張られるだけで、このときヒップと体形補整具１１との位置関係がずれたとしても、位置ずれした状態を固定的に保持する構造はない。つまり、従来のガードル等においては、その一部が胴回りに引きずられてずり上がると、ずり上がった部分がずり上がった状態のまま位置保持されるが、体形補整具１１には位置ずれした状態を固定的に保持する構造はない。
【００２８】
また、先に説明したように使用状態における体形補整具１１は、斜交い状にヒップを支持している。そのため、着座状態やしゃがんだ状態においてヒップと体形補整具１１の位置関係がずれたとしても、体形補整具１１がヒップの頂部を乗越えてヒップ上部へずれることはなく、体形補整具１１は依然としてヒップの太腿側の膨らみの下部に引っ掛かった状態に保持される。そのため、着座姿勢から立姿勢へ戻ると、体形補整具１１はヒップから受ける緊張力が開放されるのに伴って、ヒップの膨らみに沿って太腿側の膨らみ基端へ向かって、張力が小さくなる側へ移動しながら収縮する。
【００２９】
上記のように、伸縮性を備えた帯状体からなる体形補整具１１でヒップアップを行うパンツによれば、ヒップと体形補整具１１の位置関係にずれが生じたとしても、ヒップと体形補整具１１の位置関係を、何ら手間を掛ける必要もなく適正な状態へ迅速に戻すことができる。なお、体形補整具１１の湾曲形状は、ヒップのたるみ具合、あるいはヒップの体側方向への張出し量によっても大きく異なるので、図１および図５に示す体形補整具１１の湾曲形状は、ひとつの例に過ぎない点に注意すべきである。
【００３０】
図６および図７は、体形補整具１１の別の実施例を示す。そこでは、体形補整具１１を、パワーネットで形成したベルト本体１７と、複数の係止穴１３を備えた調整ベルト１８を連結して構成している。ベルト本体１７は、パワーネットを調整ベルト１８より広幅の帯状に裁断し、その周縁をかがり縫いして形成してあり、図７に示すように、長手方向の遊端が股上３に縫着してある。かがり縫部を符号１９で示す。調整ベルト１８は、先に説明した、ボタンホール１３を備えている市販の編みゴムベルトで形成する。他は先の実施例と同じであるので、同じ部材に同じ符号を付してその説明を省略する。上記のように、ベルト本体１７と調整ベルト１８で構成した体形補整具１１によれば、広幅のベルト本体１７でヒップの周囲を支持するので、ベルト本体１７がヒップ肌面に強く食込むのを避けることができる。係止穴１３は、必要に応じてベルト本体１７の側にも設けることができる。
【００３１】
上記の実施例のサイズ調整構造１２では、ボタン１４をボタンホール１３に係止するようにしたが、ボタンに換えて襟ホック、あるいはスプリングホック、フックなどを係止具１４として、これらをボタンホール１３に係止することができる。また、面ファスナーを係止要素にしてサイズ調整構造１２を構成することができる。
【００３２】
上記の実施例では、ボタン１４を右前身頃６Ａおよび、左前身頃７Ａのベルト部５との隣接部分に留め付けるようにしたが、その必要はなく、図１に矢印ａ、矢印ｂで囲まれる領域Ｔ内、もしくはその近傍にボタン１４を留め付けることができる。要は、ボタン１４が、ヒップの太腿側の膨らみ基端を支持する体形補整具１１を斜め上方へ引っ張る位置に配置してあればよい。
【００３３】
上記の実施例では、ボトムスがパンツである場合について説明したが、本考案の体形補整具１１は、スラックス、カルソンパンツ、レギンス、スパッツなどにも等しく適用することができる。また、インナーパンツ付きのキュロットスカートにおいては、インナーパンツをボトムス本体１として、その内部に体形補整具１１を設けることができる。
【符号の説明】
【００３４】
１  ボトムス本体（パンツ本体）
３  股上
５  ウエスト部
１１  体形補整具
１２  サイズ調整構造
１３  係止穴（ボタンホール）
１４  係止具（ボタン）
【図１】
0003172676.tif 000003
【図２】
0003172676.tif 000004
【図３】
0003172676.tif 000005
【図４】
0003172676.tif 000006
【図５】
0003172676.tif 000007
【図６】
0003172676.tif 000008
【図７】
0003172676.tif 000009